(57)【要約】【課題】  整髪料に直接手が触れることなく整髪に充分な量の粘性の整髪料を塗布具に付着させて取り出し、毛髪への塗布操作が容易にできるようにする。【解決手段】  粘性の整髪料Ｓを収納する有底筒状の容器本体１と、前記容器本体１の頚部２に水平回動可能に嵌着され複数の透孔２１が設けられた掻き取り栓２０と、前記掻き取り栓２０の上面に収容され前記透孔２１を挿通して前記容器本体１の底壁３近傍に達する櫛歯３１を有する塗布具３０とを有し、前記掻き取り栓２０には、隣接する二本の櫛歯３１、３１が一所に挿通可能な長孔状の透孔２１ｂが少なくとも複数設けられていることを特徴としており、塗布具を回転させて整髪料を櫛歯に確実に付着させ、塗布具を引き上げることにより、余分な整髪料を掻き取り栓で掻き落とすと共に長孔状の透孔に一所に挿通している二本の櫛歯の間に整髪料を幕状に架橋させて付着させ、そのまま塗布具を用いて塗布操作が行えるようにした。【選択図】      図２
2005152064.tif 000002
【特許請求の範囲】
【請求項１】
粘性の整髪料を収納する有底筒状の容器本体と、前記容器本体の頚部に水平回動可能に嵌着され複数の透孔が設けられた掻き取り栓と、前記掻き取り栓の上面に収容され前記透孔を挿通して前記容器本体の底壁近傍に達する櫛歯を有する塗布具とを有し、前記掻き取り栓には、隣接する二本の櫛歯が一所に挿通可能な長孔状の透孔が少なくとも複数設けられていることを特徴とする塗布具付き容器。
【請求項２】
前記長孔状の透孔に前記櫛歯の径寸法よりも小さい短径部分を設けたことを特徴とする請求項１記載の塗布具付き容器。
【請求項３】
前記長孔状の透孔を掻き取り栓の中心から放射方向に設けたことを特徴とする請求項１又は請求項２記載の塗布具付き容器。
【発明の詳細な説明】
【技術分野】
【０００１】
本発明は、ポマードなど比較的粘度の高い整髪料の収納およびその取り出しと塗布に好適な塗布具付き容器に関する。
【背景技術】
【０００２】
ポマードのように比較的粘度の高いクリーム状あるいはワックス状の整髪料は、ネジ蓋付きの広口瓶に収納されて市販されている。使用者は、整髪料を直接手指に取って毛髪に付着させたり、手指に取った整髪料を櫛に付着させて使用しており、整髪料によって手が汚れてしまう問題がある。
【０００３】
従来より、ポマードのような高粘度の整髪料に直接手が触れないで使用できる容器として、例えば、実公昭３５−３００３３号公報や実公昭３７−８２３３号公報、実公昭４０−２４４７０号公報に開示されたポマード押出し容器が知られている。これら旧来のポマード容器は、容器に形成した櫛歯状の塗布体部に容器内から透孔を通してポマードを押し出し、容器を把持し塗布体部で毛髪を梳くことにより、整髪料に直接手を触れることなく使用できるようになっている。
【０００４】
また、ポマード容器ではないが、特開２０００−１６８８２３号公報には、蓋に取り付けられた把持部を有する櫛を筒状の容器本体から引き抜くことにより、櫛に付着する化粧料が払拭部により適正量に調整され、蓋を把持してマスカラ等の化粧料を睫毛等に塗布するのに好適な櫛型塗布具付き容器が開示されている。
【特許文献１】実公昭３５−３００３３号公報
【特許文献２】実公昭３７−８２３３号公報
【特許文献３】実公昭４０−２４４７０号公報
【特許文献４】特開２０００−１６８８２３号公報
【発明の開示】
【発明が解決しようとする課題】
【０００５】
上記従来のポマード押し出し容器等は、容器内の押し出し板を指先で押圧する操作によって櫛歯状の塗布体部に整髪料を付着させる構成であるので、整髪料の取り出し操作性が悪いえうに、容器本体を把持して塗布操作をするので塗布操作性もよくない。また、整髪料の押出だし量を手加減で行うことから整髪料を無駄に押し出してしまう心配があった。
【０００６】
また、上記従来の櫛型塗布具付き容器は、把持部を持って櫛の操作をするので操作性がよく、内容物を払拭部で扱くので、塗布量が少ないマスカラ容器としては好適であるが、ポマード等の整髪料のような高粘度の内容物を収納したり、整髪に必要な分量の整髪料を櫛に取り出すには不適な構成の容器である。
【０００７】
本発明は、上記の問題に鑑みてなされたもので、整髪料に直接手が触れることなく整髪に充分な量の粘性の整髪料を塗布具に付着させて取り出し、毛髪への塗布操作が容易にできるようにすることにある。
【課題を解決するための手段】
【０００８】
本発明は、粘性の整髪料を収納する有底筒状の容器本体と、前記容器本体の頚部に水平回動可能に嵌着され複数の透孔が設けられた掻き取り栓と、前記掻き取り栓の上面に収容され前記透孔を挿通して前記容器本体の底壁近傍に達する櫛歯を有する塗布具とを有し、前記掻き取り栓には、隣接する二本の櫛歯が一所に挿通可能な長孔状の透孔が少なくとも複数設けられていることを特徴としている。
【０００９】
塗布具と共に掻き取り栓を回転させることにより粘性の整髪料が櫛歯に確実に付着し、塗布具を引き上げることにより、余分な整髪料を掻き取り栓で掻き落とすと共に長孔状の透孔に一所に挿通している二本の櫛歯の間に整髪料が幕状に架橋して付着量が不足無く調整され、そのまま塗布具を用いて塗布操作が行えるようにしたことで上記の課題の解決手段とした。
【００１０】
また、長孔状の透孔に前記櫛歯の径寸法よりも小さい短径部分を設け、整髪料の粘度や所望の取り出し量に対応して短径寸法を設定し、櫛歯の間に架橋して取り出される整髪料の量を微調整できるようにした。
【００１１】
また、長孔状の透孔を掻き取り栓の中心から放射方向に設け、塗布具を回転させたとき、長孔状の透孔を挿通している二本の櫛歯が確実に整髪料のある位置を移動し、櫛歯と櫛歯の間に整髪料が確実に付着するようにすることが好ましい。
【発明の効果】
【００１２】
本発明によれば、容器に収納された状態の塗布具を掻き取り栓と共に回転させることで容器内の整髪料が塗布具の櫛歯に確実に付着すると共に塗布具を本体から取り出すだけで櫛歯と櫛歯の間に整髪料が幕状に架橋して付着するので、整髪に充分な量の整髪料を塗布具に付着させて取り出することができ、且つ手を汚すことなく簡単に整髪操作をすることができる。
【００１３】
また、塗布具が掻き取り栓の上面に収容されているときは、塗布具の櫛歯が掻き取り栓の透孔を挿通した状態で透孔を閉塞するので、整髪料の密閉性を高く維持することができる
【００１４】
また、長孔状の透孔に櫛歯の径寸法よりも小さい短径部分を設け、この寸法を様々な性状の整髪料に対応して変えることにより、整髪料を櫛歯の間に架橋させて整髪に充分な量を取り出すことができる。
【発明を実施するための最良の形態】
【００１５】
以下、本発明の好適な実施の形態を、添付した図面を参照しながら詳細に説明する。
【００１６】
本発明の塗布具付き容器は、粘性の整髪料Ｓを収納する有底筒状の容器本体１と、前記容器本体１に嵌合する蓋体１０と、前記容器本体１の頚部２に水平回動可能に嵌着され複数の透孔２１が設けられた掻き取り栓２０と、前記掻き取り栓２０の上面に収容され前記透孔２１を挿通して前記容器本体１の底壁３近傍に達する櫛歯３１を有し前記掻き取り栓２０の上面に取り出し可能に収納される塗布具３０とを有して構成されている。
【００１７】
容器本体１は、胴部５と広口の頚部２と底壁３とから成る合成樹脂製のジャーであり、頚部２の上端部には掻き取り栓２０がアンダーカット係合する係合突起６が周設してあり、頚部２の外周には雄ネジ４が刻設されている。
【００１８】
蓋体１０は、周壁１１と頂壁１２とから成り、内周壁に容器本体１の雄ネジ４と螺合する雌ネジ１１ａが刻設されている。
【００１９】
掻き取り栓２０は、円形の掻き取り板部２２と、その外縁に立設された周壁部２４と、周壁部２４上端に形成され下面にアンダーカット用の係合溝２６を設けたフランジ部２３とで皿状の凹所２５を形成した栓体であり、本体１の頚部２にアンダーカット係合して水平回動可能に嵌合している。
【００２０】
掻き取り栓２０の掻き取り板部２２には、塗布具３０の櫛歯３１が挿通する円形の透孔２１ａと長孔状の透孔２１ｂが掻き取り栓２０の中心から放射方向に設けられている。前記透孔２１ａ、２１ｂの位置は、掻き取り栓２０の凹所２５に収納される塗布具３０における各櫛歯３１の配設位置に対応している。
【００２１】
掻き取り板部２２の透孔２１ａ、２１ｂは、容器本体１内に充填されている櫛歯３１に付着した余分な整髪料Ｓを掻き落として付着量を調整するものであり、各透孔２１ａ、２１ｂの径は、櫛歯３１に付着させる整髪料Ｓの適量を見込んで櫛歯３１の外径よりも大きな寸法に設定されている。
【００２２】
長孔状の透孔２１ｂは、整髪料Ｓの取り出し量の不足を防止するものであり、その長手方向に隣接する二本の櫛歯３１、３１が一所に挿通可能な寸法に設定されている。
【００２３】
塗布具３０は、円形の基盤３５と、基盤３５の上面にアーチ状に形成された取手３２と、前記基盤３５の下面に複数突設され掻き取り栓２０の透孔２１を挿通して容器本体１の底壁３近傍に迄達する長さの複数の櫛歯３１とから構成されており、櫛歯３１は、掻き取り栓２０の透孔２１に挿通するように透孔２１に対応する位置に突設されている。
【００２４】
塗布具３０の保管時には、その櫛歯３１が掻き取り栓２０の透孔２１を挿通して掻き取り栓２０の上面凹所２５に収納されることから、塗布具３０の櫛歯３１が掻き取り栓２０の透孔２１を閉塞し、整髪料Ｓの密閉が良好に維持される。
【００２５】
次に、以上のように構成された容器の使用について説明する。塗布具３０の取手３２を把持し、容器本体１内において塗布具３０を水平回転させると、塗布具３０と共に掻き取り栓２０も回転し、櫛歯３１の回転方向にまんべんなく整髪料Ｓが付着する。特に、長孔状の透孔２１ｂを掻き取り栓２０の中心から放射方向に設けてあることから、長孔状の透孔２１ｂを一所に挿通している二本の櫛歯３１、３１は確実に整髪料Ｓのある位置を移動し、二本の櫛歯３１と櫛歯３１の間に整髪料Ｓが確実に付着する。
【００２６】
塗布具３０を容器本体１から引き上げ、櫛歯３１が透孔２１から引き抜かれると、余分に付着した整髪料は掻き取り板部２２で掻き落とされるとともに、図４に示すように、長孔状の透孔２１ｂに一所に挿通している二本の櫛歯３１、３１の間に整髪料Ｓが幕状に架橋して付着し、整髪料Ｓが不足無く付着した塗布具３０をそのまま用いて塗布操作が行える。
【００２７】
使い終えた塗布具３０は、櫛歯３１を掻き取り栓２０の透孔２１に挿通して本体１内に戻される。
【００２８】
図５乃至図６は、本発明の塗布具付き容器における別の掻き取り栓２０ａを示しており、この掻き取り栓２０ａの長孔状の透孔２１ｂには、櫛歯３１の径寸法Ｍよりも小さい短径部分Ｙが設けられている。
【００２９】
収納される整髪料Ｓの粘度や所望の取り出し量に対応して短径部分Ｙの寸法を変えて形成することにより、長孔状の透孔２１ｂに一所に挿通する二本の櫛歯３１、３１の間に架橋して取り出される整髪料を所望の量に微調整することができる。
【図面の簡単な説明】
【００３０】
【図１】本発明の塗布具付き容器の好ましい実施の形態を示す断面図。
【図２】図１の塗布具付き容器を示す分解斜視図。
【図３】図１の塗布具付き容器において使用される掻き取り栓を示す平面図。
【図４】図１の塗布具付き容器の使用状態を拡大して示す説明図。
【図５】本発明の塗布具付き容器において使用される別の掻き取り栓を示す平面図。
【図６】図５に示す掻き取り栓における長孔状の透孔の説明図。
【符号の説明】
【００３１】
１  容器本体，２  頚部，３  底壁，２０  掻き取り栓，２１  透孔，２１ｂ  長孔状の透孔，３０  塗布具，３１  櫛歯，３２  取手，３５  基盤，Ｓ  整髪料，Ｍ  櫛歯の径寸法，Ｙ  短径部分，
【図１】
2005152064.tif 000003
【図２】
2005152064.tif 000004
【図３】
2005152064.tif 000005
【図４】
2005152064.tif 000006
【図５】
2005152064.tif 000007
【図６】
2005152064.tif 000008